(57)【要約】【課題】放送受信装置において、表示部による雑音の影響を受けずに受信中の放送に関する情報を表示する。【解決手段】表示手段として装置に関する情報を表示する表示部１４と、操作手段として装置に関する操作を行うとともに発光機能を有する操作部１５と、放送受信手段としてラジオ放送を受信するチューナ部１１とを有し、制御部１０は制御手段として、放送受信手段によりラジオ放送を受信すると、表示手段の表示を消灯するとともに、受信中のラジオ放送に関する情報の要求を受け付けた場合は、操作手段が有する発光機能を用いて、受信中のラジオ放送に関する情報を表示する。【選択図】図１
2011124952.tif 000002
【特許請求の範囲】
【請求項１】
装置に関する情報を表示する表示手段、
装置に関する操作を受け付けるとともに、発光機能を有する操作手段、
ラジオ放送を受信する放送受信手段、
前記放送受信手段によりラジオ放送を受信すると、前記表示手段の表示が点灯していた場合に、前記表示手段の表示を消灯するとともに、前記受信中のラジオ放送に関する情報の要求を受け付けた場合は、前記操作手段が有する発光機能を用いて、前記受信中のラジオ放送に関する情報を表示する制御手段、
を備えることを特徴とする、放送受信装置。
【請求項２】
前記受信中のラジオ放送に関する情報とは、前記受信中のラジオ放送の変調方式または周波数であり、
前記操作手段はテンキーであり、
前記制御手段による、前記受信中のラジオ放送に関する情報の表示とは、前記テンキーに記されている文字と、前記変調方式または前記周波数を対応させて、対応する各キーの発光機能を発光させることにより表示することを特徴とする、
請求項１に記載の放送受信装置。
【請求項３】
前記受信中のラジオ放送に関する情報とは、前記受信中のラジオ放送の変調方式または周波数であり、
前記操作手段はテンキーであり、
前記制御手段による、前記受信中のラジオ放送に関する情報の表示とは、前記テンキーの配置を用いて、前記変調方式または前記周波数の文字を形成するように各キーの発光機能を発光させることにより表示することを特徴とする、請求項１に記載の放送受信装置。
【請求項４】
ラジオ放送を受信する放送受信手段によりラジオ放送を受信すると、装置に関する情報を表示する表示手段の表示が点灯していた場合に、表示手段の表示を消灯するステップ、
前記受信中のラジオ放送に関する情報の要求を受け付けるステップ、
前記受信中のラジオ放送に関する情報の要求を受け付けた場合は、装置に関する操作を行う操作手段が有する発光機能を用いて、前記受信中のラジオ放送に関する情報を表示するステップ、
を含むことを特徴とする、放送受信装置の受信情報表示方法。
【請求項５】
請求項４に記載の放送受信装置の受信情報表示方法の各ステップを、コンピュータに実行させるプログラム。
【発明の詳細な説明】
【技術分野】
【０００１】
本発明は、表示部による雑音の影響を受けずに受信情報が表示可能な、放送受信装置、放送受信装置の受信情報表示方法およびプログラムに関する。
【背景技術】
【０００２】
近年、ポータブルメディアプレイヤやポータブルオーディオプレイヤ、携帯電話等の小型装置において、ラジオ放送、ＴＶ放送の受信機能を有する装置が一般的になっている。このような装置において、受信周波数等の受信に関連する情報は、表示装置として用いている液晶表示部を用いて表示することが一般的である。
【０００３】
図１０に、従来の放送受信装置の外観例を示す。従来の放送受信装置１００は、表示部１４０、操作部１５０を備える。操作部１５０は、放送受信装置１００の各種操作を行い、ラジオ放送の選局操作等も行う。
【０００４】
表示部１４０は、放送受信装置１００の各種情報やコンテンツを表示する。放送受信装置１００がラジオ放送を受信している場合は、受信しているラジオ放送における、ＦＭ／ＡＭ等の変調方式、受信周波数、放送局名、電界強度やモノラル／ステレオ等の受信情況などを表示する。
【先行技術文献】
【特許文献】
【０００５】
【特許文献１】国際公開ＷＯ２００６／０５１８３９号公報
【発明の概要】
【発明が解決しようとする課題】
【０００６】
液晶表示装置等の表示部による表示を行うためには、例えば表示部の解像度に応じた水平同期信号を発生させる必要があり、表示部の解像度がＱＶＧＡであるときは約１５ｋＨｚ、ＷＸＧＡであるときは約４８ｋＨｚの水平同期信号を発生している。
【０００７】
また、ラジオ放送の放送波の周波数は、日本国内においてはＡＭ放送が約５３０ｋＨｚ〜１６００ｋＨｚ前後、ＦＭ放送が７６ＭＨｚから９０ＭＨｚ前後であり、水平同期信号の高調波成分が、放送受信装置に内蔵されているアンテナを介して放送を受信した信号にノイズ成分として混入する。このノイズ混入は特にＡＭ放送において顕著である。
【０００８】
上述のノイズ混入を防止するために、特許文献１のような技術が提案されている。特許文献１には、ＡＭラジオ受信時に、表示部からのノイズがチューナからの音声に混入しないように、表示部の表示状態を変更するＡＭラジオ付き携帯機器が記載されている。
【０００９】
しかし、上述したような従来の携帯機器は、ＡＭラジオ受信時には部分的に表示を行うことにより、ノイズ量を低減させることが可能であるが、部分的に表示部の表示を行っているために、少量ながらもノイズが発生するとともに、部分的に表示を行うための構造を有する表示部を用いる必要があり、コストが上昇する。さらには、部分的な表示を行う表示部とアンテナ間の距離が必要であるために、携帯機器の小型化が困難となる。
【００１０】
本発明はこのような問題点に鑑みなされたものであり、表示部による雑音の影響を受けずに受信情報が表示可能な、放送受信装置、放送受信装置の受信情報表示方法およびプログラムを提供することを目的とする。
【課題を解決するための手段】
【００１１】
上記目的を達成するために、第１の発明に係る放送受信装置は、装置に関する情報を表示する表示手段、装置に関する操作を行うとともに、発光機能を有する操作手段、ラジオ放送を受信する放送受信手段、前記放送受信手段によりラジオ放送を受信すると、前記表示手段の表示を消灯するとともに、前記受信中のラジオ放送に関する情報の要求を受け付けた場合は、前記操作手段が有する発光機能を用いて、前記受信中のラジオ放送に関する情報を表示する制御手段、を備えることを特徴とする。
【００１２】
第２の発明に係る放送受信装置は、第１の発明において、前記受信中のラジオ放送に関する情報とは、前記受信中のラジオ放送の変調方式または周波数であり、  前記操作手段はテンキーであり、前記制御手段による、前記受信中のラジオ放送に関する情報の表示とは、前記テンキーに記されている文字と、前記変調方式または前記周波数を対応させて、対応する各キーの発光機能を発光させることにより表示することを特徴とする。
【００１３】
第３の発明に係る放送受信装置は、第１の発明において、前記受信中のラジオ放送に関する情報とは、前記受信中のラジオ放送の変調方式または周波数であり、  前記操作手段はテンキーであり、前記制御手段による、前記受信中のラジオ放送に関する情報の表示とは、前記テンキーの配置を用いて、前記変調方式または前記周波数の文字を形成するように各キーの発光機能を発光させることにより表示することを特徴とする。
【００１４】
第４の発明に係る放送受信装置の受信情報表示方法は、放送受信装置の制御手段において、ラジオ放送を受信する放送受信手段によりラジオ放送を受信すると、装置に関する情報を表示する表示手段の表示を消灯するステップ、前記受信中のラジオ放送に関する情報の要求を受け付けるステップ、前記受信中のラジオ放送に関する情報の要求を受け付けた場合は、装置に関する操作を行う操作手段が有する発光機能を用いて、前記受信中のラジオ放送に関する情報を表示するステップ、を備えることを特徴とする。
【００１５】
第５の発明に係るプログラムは、第４の発明における各ステップを、コンピュータに実行させる。
【発明の効果】
【００１６】
本発明によれば、表示部による雑音の影響を受けずに受信情報を表示することができる。
【図面の簡単な説明】
【００１７】
【図１】本発明における放送受信装置のブロック図である。
【図２】本発明における放送受信装置の外観平面図である。
【図３】本発明における第１の実施例に係る放送受信装置の動作を表すフローチャートである。
【図４】本発明における第１の実施例に係る放送受信装置の動作を表すフローチャートである。
【図５】本発明における第１の実施例に係る放送受信装置の表示例を模した図ある。
【図６】本発明における第１の実施例に係る放送受信装置の他の表示例を模した図ある。
【図７】本発明における第２の実施例に係る放送受信装置の動作を表すフローチャートである。
【図８】本発明における第２の実施例に係る放送受信装置の表示例を模した図ある。
【図９】本発明における第２の実施例に係る放送受信装置の他の表示例を模した図ある。
【図１０】従来の放送受信装置における表示例を示した図である。
【発明を実施するための形態】
【００１８】
以下、本発明の第１の実施例における放送受信装置について、図１および図２を参照して説明する。図１は放送受信装置のブロック図であり、図２は放送受信装置の外観図の例である。放送受信装置１は、携帯型のラジオやオーディオプレイヤ、メディアプレイヤ、携帯電話、ＰＤＡ等において、ラジオ放送受信機能に加えて、テンキー等の操作部を有するものを対象とする。
【００１９】
放送受信装置１は、制御部１０、チューナ部１１、アンテナ部１１Ａ、ＡＤＣ（Analog Digital Convertor）１２、入力部１３、表示部１４、操作部１５、記憶部１６、ＤＡＣ（Digital Analog Converter）１７、出力部１８を備える。
【００２０】
制御部１０は、例えば、ＣＰＵ（Central Processing Unit）、ＲＡＭ（Random Access Memory）、ＲＯＭ（Read Only Memory）、ＤＳＰ（Digital Signal Processor）等を備えて構成され、制御手段として放送受信装置１の各部を制御する。
【００２１】
制御部１０におけるＣＰＵは、放送受信装置１０の各部からの操作信号やデータに基づき、ＲＯＭに記憶された各種プログラムをＲＡＭ上で実行することによって、制御手段として、各部の制御を行う。
【００２２】
制御部１０におけるＤＳＰは、後述するチューナ部１１や入力部１３より入力され、後述するＡＤＣ１２でデジタル信号化された音声データを圧縮音声データに変換するエンコード処理、後述するＤＡＣ１７を通して出力部１８より出力する音声データのデコード処理に加えて、音質補正や音場補正等の各種処理を行う。
【００２３】
チューナ部１１は、放送受信手段として、後述するアンテナ部１１Ａにより受信した放送波（電波）に対して、制御部１０による制御により、不図示の同調部を放送波の所定の周波数に同調させ、放送波として変調されている音声信号を抽出する。
【００２４】
アンテナ部１１Ａは、放送局から送信される変調された電波を受信し、その電波をチューナ部１１に出力する。アンテナ部１１Ａは、放送受信装置１に内蔵されている。
【００２５】
ＡＤＣ１２は、チューナ部１１や後述する入力部１３から入力されるアナログ音声信号をデジタル音声データに変換し、制御部１０に出力する。
【００２６】
入力部１３は、外部からのアナログ音声信号が入力される入力端子や、放送受信装置１に内蔵されるマイクロホン等である。
【００２７】
表示部１４は、表示手段として、操作部１５による操作の状態や、放送受信装置１の動作状態、放送受信装置１で再生する音声データや、チューナ部１１で受信する放送に関する各種情報を表示し、例えば液晶表示素子や有機ＥＬ（Electro Luminescence）表示素子などにより構成される。
【００２８】
操作部１５は、操作手段として、ユーザが放送受信装置１を操作するユーザインターフェースであり、押しボタンスイッチやタッチスイッチ、表示部１３上に設けられたタッチパネルにより構成される。
【００２９】
図２における操作部１５は、数字やアルファベットの入力に対応付けられたテンキーを含んでいる。各キーのキートップは、全体または一部が透明または半透明となっており、キートップ下部にＬＥＤ（Light Emitting Diode）等の光源を有しており、制御部１０の制御により光源の発光が制御される。
【００３０】
記憶部１６は、音声データや、例えば音声データに対応する写真データ、音声データのデータベース、チューナ部で同調する放送局の周波数情報、放送局名等を記憶する。記憶部１６は、例えばＨＤＤ（Hard Disk Drive）やフラッシュメモリより構成される。ＨＤＤやフラッシュメモリは音声再生装置１０に内蔵されるが、所定のインターフェースにより音声再生装置１０に接続される外部のデバイスであってもよい。具体的には、ＵＳＢ（Universal Serial Bus）により接続される外付けＨＤＤやＵＳＢメモリ、所定のメモリカードスロットにより接続されるメモリカードなどである。
【００３１】
ＤＡＣ１７は、制御部１０を介して出力されるデジタル音声データをアナログ音声信号に変換し、後述する出力部１8に出力する。
【００３２】
出力部１８は、ＤＡＣ１７によりアナログ信号に変換された音声信号を、図示しないオペアンプ等の増幅部により増幅することにより、図示しないヘッドホンやスピーカ、外部装置等へ出力する出力端子、または放送受信装置１に内蔵される図示しないスピーカ等である。
【００３３】
次に、図３から図６を参照して、放送受信装置１の動作について説明する。図３および図４は、放送受信装置１の動作例を示すフローチャートであり、図５および図６は放送受信装置１の操作部１５を用いた表示例を示す図である。
【００３４】
図３において、先ず制御部１０はラジオ放送の受信が開始されたか否かを判断する（ステップＳ１）。この判断は、ユーザによる操作部１５の操作により、所望の周波数の放送が選択されることにより、ラジオ放送の受信が開始されたと判断する。
【００３５】
ステップＳ１において、ラジオ放送の受信が開始されていない場合（ステップＳ１：Ｎｏ）、制御部１０は、ラジオ放送に関する以外の動作中であるか、所望の周波数の放送が選択される前であるために、ラジオ放送の受信が開始されるまで待機する。ステップＳ１において、ラジオ放送の受信が開始されたと判断された場合は（ステップＳ１：Ｙｅｓ）、制御部１０は表示部１４を消灯する処理を行う（ステップＳ２）。
【００３６】
ステップＳ２において、表示部１４を消灯する。表示部１４の消灯とは、表示部１４の表示による水平同期信号が出力されないようにすればよく、例えば表示部１４を含み、図示しない表示部１４を動作させるための表示ユニットに対して、電源の供給を停止すればよい。ステップＳ２において表示部１４を消灯した後は、ステップＳ３に移行する。
【００３７】
ステップＳ３においては、制御部１０は、受信中のラジオ放送における放送局に関する情報の確認操作が有るか否かを判断する。この確認操作とは、ユーザが現在受信中のラジオ放送局がどの放送局であるかを知るために、操作部１５を操作することにより行う。操作部１５による操作は、操作部１５における所定のキーが対応付けられていてもよく、または他の機能を実行するキーに対して、ステップＳ２の処理をトリガに、受信周波数を確認するためのキーとして割り当てられてもよい。
【００３８】
ステップＳ３において、制御部１０が受信中の放送局に関する情報の確認操作が無いと判断した場合（ステップＳ３：Ｎｏ）、ステップＳ５に移行する。ステップＳ３において、制御部１０が受信中の放送局に関する情報の確認操作が有ると判断したときは、後述する受信周波数表示処理（ステップＳ４）を実行し、その後ステップＳ５に移行する。
【００３９】
ステップ５においては、制御部１０がラジオ放送の受信が終了したか否かを判断し、終了していないと判断した場合（ステップＳ５：Ｎｏ）は、Ｓ３に移行して再度受信中の放送局に関する情報の確認操作が有るまで待機する。ラジオ放送の受信が終了したと判断した場合（ステップＳ５：Ｙｅｓ）、ステップＳ６に移行する。
【００４０】
ステップＳ６においては、ステップＳ５においてラジオ放送の受信が終了したために、ステップＳ２で消灯した表示部１５を再度点灯し、本処理を終了する。ラジオ放送の受信の終了は、ユーザが操作部１５を操作してラジオ放送以外のコンテンツに関する動作に切り替えるか、同様にユーザが操作部１５を操作して放送受信装置１の電源を切る等の操作によって、制御部１０により判断される。ステップＳ５において、放送受信装置１の電源を切ることによりラジオ放送の受信が終了した場合は、ステップＳ６を経ずに本処理を終了してもよい。
【００４１】
図４は、図３におけるステップＳ４による受信周波数表示処理のフローチャートであり、図３におけるステップＳ３において制御部１０が受信中の放送局に関する情報の確認操作があると判断した場合（ステップＳ３：Ｙｅｓ）に行われる。
【００４２】
先ず、制御部１０は、現在受信中の放送局に対する周波数の数値を取得する（ステップＳ１０１）。取得する数値の例としては、例えば受信中の放送局がＡＭ放送であって周波数が１３８６ｋＨｚである場合、「１３８６」という４桁の数字を取得し、例えばＦＭ放送８９．８ＭＨｚであれば「８９８」という３桁の数字を取得する。
【００４３】
ステップＳ１０１における周波数の数値の取得は、記憶部１６や制御部１０におけるＲＯＭに記憶されている放送局の周波数情報から取得する。具体的にはユーザが受信周波数または放送局を選択したときに、制御部１０が放送局の周波数情報を元にチューナ部１１を制御して選択された放送局を受信するための周波数情報である。
【００４４】
ステップＳ１０１において受信中の放送局の周波数情報を取得すると、制御部１０は表示する数値の桁数を１桁目からカウントするために、桁数Ｎを１とする。ここでいう１桁目とは、表示する数値の左端の桁であり、制御部１０は１桁目からの数字に対応する操作部を点滅させる（ステップＳ１０３）。
【００４５】
ステップＳ１０３においては、制御部１０はＮ桁目の数値に対応する操作部１５におけるキーに配置された光源を点滅させ、Ｓ１０４に移行する。
【００４６】
ステップＳ１０４においては、制御部１０はステップＳ１０３における点滅がステップＳ１０１で取得したＮ桁の数値の点滅によって、受信中の放送局の周波数情報の表示が終了したか否かを判断する。
【００４７】
ステップＳ１０４において、制御部１０は受信中の放送局の周波数情報の表示が終了していないと判断した場合は（ステップＳ１０４：Ｎｏ）、ステップＳ１０５に移行し、次の桁の数値に対応する操作部を点滅させるために、桁数Ｎに１を加算し、再度ステップＳ１０３に移行する。表示が終了したと判断した場合は（ステップＳ１０４：Ｙｅｓ）、受信周波数表示処理を終了し、図３におけるステップＳ５に移行する。
【００４８】
図５および図６は、図４におけるステップＳ１０２からステップＳ１０５までの処理により、操作部１５が有するＬＥＤ等の光源の点滅による表示例を模した図である。例えば図４におけるステップＳ１０１で取得した数値が、ＡＭ放送の１３８６ｋＨｚに基づき「１３８６」である場合、ステップＳ１０２からステップＳ１０５の処理により、順に「１」に対応するキー（図５（ａ））、「３」に対応するキー（図５（ｂ））、「８」に対応するキー（図５（ｃ））、「６」に対応するキー（図５（ｄ））と点滅させることにより、「１３８６」という数値を表示する。例えばＦＭ放送の８９．８ＭＨｚに基づく「８９８」という数値であっても同様である。
【００４９】
各キーの点滅時間は任意であるが、ユーザがストレス無く「１３８６」という連続した数値を認識できる時間であることが望ましい。例えば各キーの点滅時間が０．５秒から１秒間であって、４桁の数値である場合は周波数の表示を２秒から４秒で行い、３桁の数値である場合は１．５秒から３秒で行う。
【００５０】
図６の例は、各数値に対応するキーとして、テンキーの配列を用いて各数値の形状として点滅させる例である。この場合は、例えば図６（ａ）において数値「１」に対応する形状を点滅させるために、テンキーにおける「Ｃ」「２」「５」「８」「０」のキーを同時に点滅させることにより「１」の形状を形成する。他の数値においても同様である。
【００５１】
図５および図６のような表示を行うことにより、ユーザは表示部１４が消灯していても、要求に応じて受信中の放送局の周波数が確認でき、表示部１４の表示に伴うノイズの影響を受けずに、ラジオ放送の聴取を行うことができる。
【００５２】
次に、本発明の第２の実施例における放送受信装置の動作について図７から図９を用いて説明する。図７は、図３におけるステップＳ４による受信周波数表示処理の第２の実施例のフローチャートであり、第１の実施例と同一の処理には同一番号を付与し、説明を省略する。図８および図９は、図７におけるステップＳ２０１からステップＳ１０４までの処理により、操作部１５が有するＬＥＤ等の光源の点滅または点灯による表示例を模した図である。
【００５３】
ステップＳ１０１において、制御部１０が受信中の放送局に対する周波数の数値を取得した後は、制御部１０はその受信中の放送局がＦＭ放送であるかＡＭ放送であるかを判断する。この判断は、受信している放送局に対応して割り当てられ記憶されていてもよく、周波数に対して割り当てられ記憶されていてもよい。
【００５４】
ステップＳ１０１において、制御部１０が受信中の放送局がＡＭ放送であると判断した場合は、ステップＳ２０２に移行し、ＦＭ放送であると判断した場合は、ステップＳ２０３に移行する。
【００５５】
ステップＳ２０３においては、制御部１０は操作部１５においてＦＭ放送に対応付けられたキーに配置された光源を点灯または点滅させ、ステップ１０２からステップＳ１０５の処理により、受信中の周波数の数値を操作部１５により表示する。ステップＳ２０３において、ＦＭ放送に対応するキーの一例としては、図８に示すように「＊」が対応付けられ、放送受信機１においては「＊」のキーに「ＦＭ」と表記されていてもよい。また、ステップＳ２０２においてＡＭ放送に対応するキーの例としては「♯」等を用いてもよい。
【００５６】
図８は、図４の処理においてＦＭ放送に対応するキー「＊」を点灯させ、「＊」を点灯させた状態で、受信中の周波数８９．８ＭＨｚに基づく数値「８９８」を点滅表示した例である。ＦＭ放送に対応するキー「＊」を点滅させた後に、受信中の周波数に基づく数値を点滅表示させてもよい。
【００５７】
図９は、図４の処理においてＦＭ放送に対応するキーとして、テンキーの配列を用いて「ＦＭ」の文字を形状として点滅させる例である。受信中の放送がＡＭ放送であっても同様に「ＡＭ」の文字の形状をテンキーの配列を用いて点滅させる。制御部１０は、図９で示したようにＦＭまたはＡＭであることを、操作部１５を用いて表示した後に、図５または図６に示すように、操作部１５を用いて受信中の周波数を表示する。
【００５８】
図８および図９に示すような表示により、受信中のラジオ放送の変調方式を示す表示に加えて、受信中のラジオ放送の周波数の表示を行うことにより、ユーザは表示部１４が消灯していても、要求に応じて受信中の放送局の変調方式および周波数が確認でき、表示部１４の表示に伴うノイズの影響を受けずに、ラジオ放送の聴取を行うことができる。
【００５９】
本発明の実施の形態は、その要旨を逸脱しない限り、様々に変更可能である。例えば、操作部１５を用いた表示を、受信中の放送局の周波数や変調方式としたが、例えば放送受信装置１における放送局のプリセット番号を、操作部１５を用いて表示してもよい。例えば、プリセット番号０１がＦＭ７６．５ＭＨｚ、プリセット番号０２がＦＭ７９．３ＭＨｚとしてプリセットされている場合、７６．５ＭＨｚの放送を受信中に受信放送局確認操作がなされた場合は、制御部１０は操作部１５における「０」「１」のキーを順次点滅、または操作部１５におけるテンキーの配列を用いて「０」「１」を表す形状のキーを順次点滅させる。
【００６０】
さらには、放送受信装置１がテンキーを有さない装置である場合には、テンキーではない操作部１５が有する発光機能を用いて表示してもよい。例えば放送受信装置１において操作部１５により何らかの処理選択を行ったあとに選択された処理を決定するための決定キーが有する発光機能を用い、例えば受信中の放送の周波数が１３８６ｋＨｚである場合、制御部１０は決定キーの光源を、１回点滅、３回点滅、８回点滅、６回点滅を所定の間隔をおいて行ってもよい。この場合、各点滅は例えば０．５秒間隔の点滅であり、所定の間隔とは例えば１秒などとする。
【符号の説明】
【００６１】
１：放送受信装置、１０：制御部、１１：チューナ部、１１Ａ：アンテナ、１２：ＡＤＣ、１３：入力部、１４：表示部、１５：操作部、１６：記憶部、１７：ＤＡＣ、１８：出力部
【図１】
2011124952.tif 000003
【図２】
2011124952.tif 000004
【図３】
2011124952.tif 000005
【図４】
2011124952.tif 000006
【図５】
2011124952.tif 000007
【図６】
2011124952.tif 000008
【図７】
2011124952.tif 000009
【図８】
2011124952.tif 000010
【図９】
2011124952.tif 000011
【図１０】
2011124952.tif 000012